(57)【要約】【課題】着信音の設定を変更することなく複数の着信音を聴くことができる電話装置を提供する。【解決手段】ＣＰＵ３が装置全体を制御する電話装置において、不揮発性メモリ１０が、複数の着信音データを予め格納するとともに、前記複数の着信音データの中から選定された着信音データを記憶し、ＣＰＵ３が、前記選定情報に基づいて、着信毎に選定された着信音データの中から所定の順序で又は不規則に一つの着信音データを選択し、その選択した着信音データを音声信号に変換して、ドライバ回路６及びスピーカ７に再生させる。【選択図】　　　図１
2004015358.tif 000002
【特許請求の範囲】
【請求項１】
複数の着信音データを予め記憶する記憶手段と、
着信毎に前記記憶手段の中から所定の順序で又は不規則に一つの着信音データを選択する選択手段と、
前記選択手段が選択した着信音データを再生して着信を報知する報知手段と、
を備えることを特徴とする電話装置。
【請求項２】
複数の着信音データを予め記憶する記憶手段と、
受信した発信者の番号と特定の発信者の番号とが一致するか否かを判定する判定手段と、
該判定手段によって前記受信した発信者の番号が前記特定の発信者の番号と一致すると判定されたとき、前記複数の着信音データの中から前記特定の発信者の番号に対応するものとして選定された着信音データを前記記憶手段の中から選択し、前記判定手段によって前記受信した発信者の番号が前記特定の発信者の番号と一致しないと判定されたとき、前記記憶手段の中から所定の順序で又は不規則に一つの着信音データを選択する選択手段と、
前記選択手段が選択した着信音データを再生して着信を報知する報知手段と、
を備えることを特徴とする電話装置。
【発明の詳細な説明】
【０００１】
【発明の属する技術分野】
本発明は電話装置に関する。特に電話装置の着信音を設定する機能に関する。
【０００２】
【従来の技術】
電話装置の着信音は、かつてはリンガーによって生成される単純なものだけであったが、現在では複数の着信音データを内部メモリに格納しており、ユーザが好みにより予め選定した一つの着信音データを着信時に再生させることで、メロディ等も着信音にすることができるようになっている。このため、着信があった際にユーザが自分の趣向にあったメロディ等を聴くことができる。
【０００３】
また、特開平１０−１９０７７９号公報に開示された電話装置では基地局から送出される発信者情報（例えば発信者電話番号）が予め内蔵メモリによって記憶されている特定の発信者情報と一致すれば、通常とは異なる着信音によって着信を報知することで、着信音を聞いただけで誰からの着信であるかがわかる。
【０００４】
【発明が解決しようとする課題】
しかしながら、従来の電話装置は着信音の設定を変更しない限り、着信の際にユーザが聴くことができる着信音は一種類のみであり、他の着信音データは内部メモリに格納されているにもかかわらず利用されていなかった。
【０００５】
また、特開平１０−１９０７７９号公報に開示された電話装置の場合では基地局から送出される発信者情報（例えば発信者電話番号）が予め内蔵メモリによって記憶されている特定の発信者情報と一致すれば、通常とは異なる着信音によって着信を報知するが、特定の発信者以外が発呼した場合はやはり一種類の着信音でしか着信を報知していなかった。
【０００６】
このため、ユーザの趣向にあったメロディ等が複数あってユーザがその複数のメロディ等を着信音として聴きたい場合は、ユーザ自身が適宜着信音の設定を変更しなければならず、不便であった。
【０００７】
本発明は、上記の問題点に鑑み、着信音の設定を変更することなく複数の着信音を聴くことができる電話装置を提供することを目的とする。
【０００８】
【課題を解決するための手段】
上記目的を達成するために、本発明に係る電話装置においては、複数の着信音データを予め記憶する記憶手段と、着信毎に前記記憶手段の中から所定の順序で又は不規則に一つの着信音データを選択する選択手段と、前記選択手段が選択した着信音データを再生して着信を報知する報知手段と、を備える構成とする。
【０００９】
また、特定の発信者からの着信を着信音によって識別できるようにする観点から、本発明に係る電話装置は、複数の着信音データを予め記憶する記憶手段と、受信した発信者の番号と特定の発信者の番号とが一致するか否かを判定する判定手段と、該判定手段によって前記受信した発信者の番号が前記特定の発信者の番号と一致すると判定されたとき、前記複数の着信音データの中から前記特定の発信者の番号に対応するものとして選定された着信音データを前記記憶手段の中から選択し、前記判定手段によって前記受信した発信者の番号が前記特定の発信者の番号と一致しないと判定されたとき、前記記憶手段の中から所定の順序で又は不規則に一つの着信音データを選択する選択手段と、前記選択手段が選択した着信音データを再生して着信を報知する報知手段と、を備える構成としてもよい。
【００１０】
【発明の実施の形態】
以下に本発明を携帯電話装置に適応した実施形態について図面を参照して説明する。図１に本発明に係る携帯電話装置の回路ブロック図である。
【００１１】
アンテナ１が無線部２を介してＣＰＵ（Ｃｅｎｔｒａｌ　Ｐｒｏｃｅｓｓｏｒ　Ｕｎｉｔ）３に接続される。また、発信者情報検出回路４の入力側が無線部２に接続され、発信者情報検出回路４の出力側がＣＰＵ３に接続される。そして、キー入力部５、ドライバ回路６、ドライバ回路８、不揮発性メモリ１０、ＲＯＭ（Ｒｅａｄ　Ｏｎｌｙ　Ｍｅｍｏｒｙ）１１、及びＲＡＭ（Ｒａｎｄｏｍ　Ａｃｃｅｓｓ　Ｍｅｍｏｒｙ）１２がＣＰＵ３に接続される。さらに、ドライバ回路６にスピーカ７が接続され、ドライバ回路８に表示装置９が接続される。
【００１２】
ＣＰＵ３は、ＲＯＭ１１に格納されているプログラムに従い、制御データを格納するＲＡＭ１２を用いて携帯電話装置全体を複合的に制御する。以下、本発明の特徴部分である着信に関する機能についてのみ説明を行う。
【００１３】
不揮発性メモリ１０は、複数の着信音データそれぞれに登録番号、選定番号、及び発信者電話番号の情報を対応させるデータテーブルを格納している。不揮発性メモリ１０が格納するデータテーブルの一例を図２に示す。ユーザは、表示装置９の表示を参照してキー入力部５を操作することによって選定番号の編集等を行うことができる。なお、本実施形態では一つの着信音データに選定番号と発信者電話番号とが重複して対応することを禁止しているが、一つの着信音データに選定番号と発信者番号とが重複して対応するようにしてもよい。
【００１４】
無線部２はアンテナ１を介して無線信号を受信し、該無線信号を復調して受信信号を生成し、該受信信号をＣＰＵ３及び発信者情報検出回路４に送出する。発信者情報検出回路４は、無線部２が生成する受信信号に基づいて発信者情報を検出し、その検出結果をＣＰＵ３に送出する。ＣＰＵ３は、無線部２が生成する受信信号に基づいて着信があるかを判定し、着信があれば発信者情報検出回路４の検出結果を表示装置９に表示させるとともに、着信報知動作を開始する。
【００１５】
第一実施形態の着信報知動作について図３のフローチャートを参照して説明する。なお、工場出荷時に変数Ｎは「１」に設定されているものとする。
【００１６】
ステップＳ１０において、ＣＰＵ３は、変数Ｎと同一値の選定番号に対応する着信音データを不揮発性メモリ１０から読み出し、その読み出した着信音データを音声処理して音声信号を生成し、ドライバ回路６に送出する。ドライバ回路６は音声信号を増幅してスピーカ７に送出する。これにより、スピーカ７が着信音を発し、ユーザに着信を報知する。
【００１７】
続いて、ＣＰＵ３は変数Ｎに１を加えたものを新たな変数Ｎとし（ステップＳ２０）、変数Ｎが選定番号の最大値以下であるかを判定する（ステップＳ３０）。変数Ｎが選定番号の最大値以下であれば（ステップＳ３０のＹｅｓ）、ＣＰＵ３はステップＳ２０で定めた変数Ｎを不揮発性メモリ１０に記憶させてフローを終了する。一方、変数Ｎが選定番号の最大値以下でなければ（ステップＳ３０のＮｏ）、ＣＰＵ３は変数Ｎを１にして不揮発性メモリ１０に記憶させ（ステップＳ４０）、その後フローを終了する。
【００１８】
ＣＰＵ３が上記第一実施形態の着信報知動作を行うことにより、着信毎に選定番号の順番で異なった着信音が発せられることになる。従って、ユーザの趣向にあったメロディ等が複数あってユーザがその複数のメロディ等を着信音として聴きたい場合に、ユーザ自身が適宜着信音の設定を変更することなく、ユーザの趣向にあった複数のメロディ等を着信音として自動的に順次切替えて聴くことができる。
【００１９】
次に、第二実施形態の着呼報知動作について図４のフローチャートを参照して説明する。
【００２０】
ステップＳ１１０において、ＣＰＵ３は、「１」から「選定番号の最大値」までの範囲で、乱数をもとにランダムな整数（以下乱数Ｒと記載する）を生成する。
【００２１】
ステップＳ１２０において、ＣＰＵ３は、乱数Ｒと同一値の選定番号に対応する着信音データを不揮発性メモリ１０から読み出し、その読み出した着信音データを音声処理して音声信号を生成し、ドライバ回路６に送出する。ドライバ回路６は音声信号を増幅してスピーカ７に送出する。これにより、スピーカ７が着信音を発し、ユーザに着信を報知する。そして、その後フローを終了する。
【００２２】
ＣＰＵ３が上記第二実施形態の着信報知動作を行うことにより、着信毎に選定番号に対して不規則に異なった着信音が発せられることになる。従って、ユーザの趣向にあったメロディ等が複数あってユーザがその複数のメロディ等を着信音として聴きたい場合に、ユーザ自身が適宜着信音の設定を変更することなく、ユーザの趣向にあった複数のメロディ等を着信音として無作為に聴くことができる。
【００２３】
次に、第三実施形態の着呼報知動作について図５のフローチャートを参照して説明する。なお、工場出荷時に変数Ｎは「１」に設定されているものとする。
【００２４】
ステップＳ２１０において、ＣＰＵ３は、発信者情報検出回路４の検出結果に基づいて、着信に先だって基地局側から供給される発信者情報である発信者電話番号が着信音データと対応させて不揮発性メモリ１０に格納している発信者電話番号と一致するかを判定する。
【００２５】
着信に先だって基地局側から供給される発信者情報である発信者電話番号が着信音データと対応させて不揮発性メモリ１０に格納している発信者電話番号の中の一つと一致すれば（ステップＳ２１０のＹｅｓ）、ＣＰＵ３は、着信に先だって基地局側から供給される発信者情報である発信者電話番号に対応する着信音データを不揮発性メモリ１０から読み出し、その読み出した着信音データを音声処理して音声信号を生成し、ドライバ回路６に送出する（ステップＳ２２０）。ドライバ回路６は音声信号を増幅してスピーカ７に送出する。これにより、スピーカ７が着信音を発し、ユーザに着信を報知する。そして、その後フローを終了する。
【００２６】
一方、着信に先だって基地局側から供給される発信者情報である発信者電話番号が着信音データと対応させて不揮発性メモリ１０に格納している発信者電話番号の中のいずれとも一致しなければ（ステップＳ２１０のＮＯ）、ＣＰＵ３は、変数Ｎと同一値の選定番号に対応する着信音データを不揮発性メモリ１０から読み出し、その読み出した着信音データを音声処理して音声信号を生成し、ドライバ回路６に送出する（ステップＳ２３０）。ドライバ回路６は音声信号を増幅してスピーカ７に送出する。これにより、スピーカ７が着信音を発し、ユーザに着信を報知する。そして、ＣＰＵ３は変数Ｎに１を加えたものを新たな変数Ｎとし（ステップＳ２４０）、変数Ｎが選定番号の最大値以下であるかを判定する（ステップＳ２５０）。変数Ｎが選定番号の最大値以下であれば（ステップＳ２５０のＹｅｓ）、ＣＰＵ３はステップＳ２４０で定めた変数Ｎを不揮発性メモリ１０に記憶させてフローを終了し、変数Ｎが選定番号の最大値以下でなければ（ステップＳ２５０のＮｏ）、ＣＰＵ３は変数Ｎを１にして不揮発性メモリ１０に記憶させ（ステップ２６０）、その後フローを終了する。
【００２７】
ＣＰＵ３が上記第三実施形態の着信報知動作を行うことにより、特定の発信者電話番号のときは特定の発信者電話番号に対応する着信音が鳴るので、ユーザは着信音を聴くだけで、特定の発信者電話番号であることを認識することができる。さらに、特定の発信者電話番号以外からの着信毎に選定番号の順番で異なった着信音が発せられることになる。従って、ユーザの趣向にあったメロディ等が複数あってユーザがその複数のメロディ等を着信音として聴きたい場合に、ユーザ自身が適宜着信音の設定を変更することなく、ユーザの趣向にあった複数のメロディ等を着信音として聴くことができる。
【００２８】
最後に、第四実施形態の着呼報知動作について図６のフローチャートを参照して説明する。
【００２９】
ステップＳ３１０において、ＣＰＵ３は、発信者情報検出回路４の検出結果に基づいて、着信に先だって基地局側から供給される発信者情報である発信者電話番号が着信音データと対応させて不揮発性メモリ１０に格納している発信者電話番号と一致するかを判定する。
【００３０】
着信に先だって基地局側から供給される発信者情報である発信者電話番号が着信音データと対応させて不揮発性メモリ１０に格納している発信者電話番号の中の一つと一致すれば（ステップＳ３１０のＹｅｓ）、ＣＰＵ３は、着信に先だって基地局側から供給される発信者情報である発信者電話番号に対応する着信音データを不揮発性メモリ１０から読み出し、その読み出した着信音データを音声処理して音声信号を生成し、ドライバ回路６に送出する（ステップＳ３２０）。ドライバ回路６は音声信号を増幅してスピーカ７に送出する。これにより、スピーカ７が着信音を発し、ユーザに着信を報知する。そして、その後フローを終了する。
【００３１】
一方、着信に先だって基地局側から供給される発信者情報である発信者電話番号が着信音データと対応させて不揮発性メモリ１０に格納している発信者電話番号のいずれとも一致しなければ（ステップＳ３１０のＮＯ）、ＣＰＵ３は、「１」から「選定番号の最大値」までの範囲で乱数Ｒを生成する（ステップＳ３３０）。
【００３２】
ステップＳ３４０において、ＣＰＵ３は、乱数Ｒと同一値の選定番号に対応する着信音データを不揮発性メモリ１０から読み出し、その読み出した着信音データを音声処理して音声信号を生成し、ドライバ回路６に送出する（ステップＳ３４０）。ドライバ回路６は音声信号を増幅してスピーカ７に送出する。これにより、スピーカ７が着信音を発し、ユーザに着信を報知する。そして、その後フローを終了する。
【００３３】
ＣＰＵ３が上記第四実施形態の着信報知動作を行うことにより、特定の発信者電話番号のときは特定の発信者電話番号に対応する着信音によって着信を報知するので、ユーザは着信音を聴くだけで、特定の発信者電話番号であることを認識することができる。さらに、特定の発信者電話番号以外からの着信毎に選定番号に対して不規則に異なった着信音が発せられることになる。従って、ユーザの趣向にあったメロディ等が複数あってユーザがその複数のメロディ等を着信音として聴きたい場合に、ユーザ自身が適宜着信音の設定を変更することなく、ユーザの趣向にあった複数のメロディ等を着信音として聴くことができる。
【００３４】
なお上述した第一から第四実施形態では、変数Ｎまたは乱数Ｒと同一値の選定番号に対応する着信音データを不揮発性メモリ１０から読み出し、その読み出された着信音データにより着信音を発するようにしたが、読み出す着信音データの選択方法はこれに限定するものではない。例えば、変数Ｎまたは乱数Ｒと同一値の登録番号がユーザによって選定されていれば、着信音データを不揮発性メモリ１０から読み出し、変数Ｎまたは乱数Ｒと同一値の登録番号がユーザによって選定されていなければ、ユーザによって選定された登録番号と同一値となるまで変数Ｎまたは乱数Ｒを求め、その変数Ｎまたは乱数Ｒと同一値の登録番号の着信音データを不揮発性メモリ１０から読み出すようにしてもよい。
【００３５】
【発明の効果】
本発明によると、電話装置が、複数の着信音データを予め記憶する記憶手段と、
着信毎に前記記憶手段の中から所定の順序で又は不規則に一つの着信音データを選択する選択手段と、前記選択手段が選択した着信音データを再生して着信を報知する報知手段と、を備えるので、着信毎に異なった着信音が発せられることになる。従って、ユーザの趣向にあったメロディ等が複数あってユーザがその複数のメロディ等を着信音として聴きたい場合に、ユーザ自身が適宜着信音の設定を変更することなく、ユーザの趣向にあった複数のメロディ等を着信音として聴くことができる。
【００３６】
また、本発明によると、電話装置が、複数の着信音データを予め記憶する記憶手段と、受信した発信者の番号と特定の発信者の番号とが一致するか否かを判定する判定手段と、該判定手段によって前記受信した発信者の番号が前記特定の発信者の番号と一致すると判定されたとき、前記複数の着信音データの中から前記特定の発信者の番号に対応するものとして選定された着信音データを前記記憶手段の中から選択し、前記判定手段によって前記受信した発信者の番号が前記特定の発信者の番号と一致しないと判定されたとき、着信音データを前記記憶手段の中から所定の順序で又は不規則に一つの着信音データを選択する選択手段と、前記選択手段が選択した着信音データを再生して着信を報知する報知手段と、を備えるので、特定の発信者電話番号のときは特定の発信者電話番号に対応する着信音によって着信を報知するので、ユーザは着信音を聴くだけで、特定の発信者電話番号であることを認識することができる。さらに、特定の発信者電話番号以外からの着信毎に異なった着信音が発せられることになる。従って、ユーザの趣向にあったメロディ等が複数あってユーザがその複数のメロディ等を着信音として聴きたい場合に、ユーザ自身が適宜着信音の設定を変更することなく、ユーザの趣向にあった複数のメロディ等を着信音として聴くことができる。
【図面の簡単な説明】
【図１】本発明に係る電話装置の回路ブロック図である。
【図２】図１の電話装置が備える不揮発性メモリに格納されるデータテーブルを示す図である。
【図３】第一実施形態の着呼報知動作のフローチャート図である。
【図４】第二実施形態の着呼報知動作のフローチャート図である。
【図５】第三実施形態の着呼報知動作のフローチャート図である。
【図６】第四実施形態の着呼報知動作のフローチャート図である。
【符号の説明】
１　　アンテナ
２　　無線部
３　　ＣＰＵ
４　　発信者情報検出回路
５　　キー入力部
６、８　　ドライバ回路
７　　スピーカ
９　　表示装置
１０　　不揮発性メモリ
１１　　ＲＯＭ
１２　　ＲＡＭ
【図１】
2004015358.tif 000003
【図２】
2004015358.tif 000004
【図３】
2004015358.tif 000005
【図４】
2004015358.tif 000006
【図５】
2004015358.tif 000007
【図６】
2004015358.tif 000008